(57)【要約】【課題】相対的な回転を行う左右一対の回転カッターのカッタ−受刃とカッター上刃の間で、連続する包装品をシール部の部分で切断して切り離す場合に、カッター上刃とカッター受刃によるシール部の切り残しが発生しないようにする。【解決手段】相対的な回転を行う左右一対の回転カッター４３，４４の外周に、包装品６５の連続体１０１を縦シール部５２の部分で切断して切り離すカッター受刃４５Ｘと、カッター上刃４６Ｘを設ける。これ等カッター受刃４５Ｘとカッター上刃４６Ｘを回転カッター４３，４４の各周り方向に傾むけて設け、各カッター受刃４５Ｘとカッター上刃４６Ｘの刃面を、刃面中央部を膨らませた凸曲面形状に形成する。【選択図】      図４
2004359385.tif 000002
【特許請求の範囲】
【請求項１】
自動包装機によって長手方向に沿って連続し、且つ、一定間隔のシール部によって区画された状態にシール成形されて送り出されて来る包装品の連続体を、該連続体の搬送通路上において相対的な回転を行う左右一対の回転カッターの間に挿通することにより、各カッターの周面に設けたカッター上刃とカッター受刃が、包装品の連続体を上記シール部の部分で切断するように構成した自動包装機用回転式カッター装置であって、
上記各回転カッターのカッター上刃とカッター受刃を、各回転カッターの回転軸に対して夫々相反する周り方向に傾けて設けると共に、これ等カッター上刃とカッター受刃の各刃面を、各刃面の一端から他端までの間における軸方向から見た場合の軸半径距離が等しくなるように、刃面中央部を膨らませた凸曲面形状に形成したことを特徴とする自動包装機用回転式カッター装置。
【請求項２】
自動包装機によって長手方向に沿って連続し、且つ、一定間隔のシール部によって区画された状態にシール成形されて送り出されて来る包装品の連続体を、該連続体の搬送通路上において相対的な回転を行う左右一対の回転カッターの間に挿通することにより、各カッターの周面に設けたカッター上刃とカッター受刃が、包装品の連続体を上記シール部の部分で切断するように構成した自動包装機用回転式カッター装置であって、
上記各回転カッターのカッター上刃とカッター受刃を、各回転カッターの回転軸に体して夫々相反する周り方向に傾けて設けると共に、上記カッター上刃の刃面を直線状に形成し、上記カッター受刃の刃面を、カッター上刃の一端から他端までの間における軸方向から見た場合の軸半径距離の変動分を吸収できるように、刃面中央部を膨らませた凸曲面形状に形成したことを特徴とする自動包装機用回転式カッター装置。
【請求項３】
カッター上刃とカッター受刃の回転軸に対する傾きを３°にした場合に、カッター上刃とカッター受刃の各刃面の曲面値を７０μｍにすることを特徴とする請求項１に記載の自動包装機用回転式カッター装置。
【請求項４】
カッター上刃とカッター受刃の回転軸に対する傾きを３°と成し、カッター上刃の刃面を直線状に形成した場合に、カッター受刃の刃面の凸曲面値を１３０μｍにすることを特徴とする請求項２に記載の自動包装機用回転式カッター装置。
【請求項５】
カッター受刃とカッター上刃のうち、少くともカッター受刃を回転カッターの軸本体に対して取外し可能並びに取付け状態調節可能に構成したことを特徴とする請求項１、２、３又は４に記載の自動包装機用回転式カッター装置。
【発明の詳細な説明】
【０００１】
【発明の属する技術分野】
本発明は、自動包装機の技術分野に属するものであって、具体的には、例えばロータリー式自動包装機のような自動包装機に用いて好適な回転式カッター装置に関するものである。
【０００２】
【従来の技術】
従来より、ロータリー式自動包装機として例えば特許文献１に記載されているものが存在する。また、自動包装機用の回転式カッター装置に関しては、例えば特許文献２に記載されているものが存在する。
【０００３】
【特許文献１】
特開２０００−３５５３０３号公報
【特許文献２】
特開２０００−２１９２１７号公報
【０００４】
この種のロータリー式自動包装機は、
（１）  長尺な包装フイルムを長手方向に沿って二つ折りし、その折り目を横方向に向けて包装フイルムを送り出しながら前記折り目と略直交するように包装フイルムに一定間隔をあけて縦シール部を形成して袋部とし、各袋部に充填物を一定量ずつ充填する充填装置と、
（２）  各袋部の上側開口を横シールするシール装置と、
（３）  縦シール部の縦寸法中間部位を切断する回転式カッター装置とを備えている。
（４）  シール装置とカッター装置との間にあって包装品の連続体の横シール部近傍を上方から吊るして保持すると共に、カッター装置によって一つずつにされた包装品の横シール部近傍を上方から吊るして保持して所定位置まで移送するための保持手段とを備えているものもある。
【０００５】
そして、上記の回転式カッター装置は、特許文献２の構成を明きらかにした図９に記載の如く、
（５）  周面に縦シール部を切断するためのカッタ−受刃ＡＫとカッター上刃ＢＫを設けた左右一対の回転カッターＡ，Ｂと、
（６）  左右一対の回転カッターＡ，Ｂが固定される左右一対の回転軸ＡＴ，ＢＴと、
（７）  これ等一対の回転軸ＡＴ，ＢＴを図９（ロ）に示すように相対的な方向に回転して、カッタ−受刃ＡＫとカッター上刃ＢＫとの間で、上記自動包装機によって連続した状態にシール形成された各包装品６５…のシール部５２（具体的には縦シール部）の中間部位を切断５２′して切り離すための駆動機構（図示省略）が設けられている。
【０００６】
【発明が解決しようとする課題】
ところが、上記従来の回転式カッター装置は、カッタ−受刃ＡＫとカッター上刃ＢＫの各刃面を、図９（イ）及び（ハ）に示すように直線状に形成すると共に、これ等カッタ−受刃ＡＫとカッター上刃ＢＫを回転軸ＡＴ，ＢＴの軸線に対して平行に設けている。したがって、上記包装品６５の縦シール部５２を切断５２′する場合に、カッタ−受刃ＡＫとカッター上刃ＢＫとは面接触又は線接触によって切断５２′するため、切断圧力の不均衡による切り残しが発生する問題があり、また、両刃の刃先を正確に接するための調整が難しいといった問題もあった。
【０００７】
そこで、図９（イ）に示すように上記のカッタ−受刃ＡＫを回転軸ＡＴに対して左周りに例えば３°傾けるように設ける一方、カッター上刃ＢＫを回転軸ＢＴに対して反対の右周りに例えば３°傾けるように設けることにより、上記の問題を解決することが考えられた。
【０００８】
この様にカッタ−受刃ＡＫとカッター上刃ＢＫを相反する方向に傾けると、互いの接触形態が略点状態になり、該接触点が縦シール部の端から端に加圧しながら移動する切断動作を形成することができる。そのため、カッタ−受刃ＡＫとカッター上刃ＢＫを傾けない場合の線接触状態の切断動作に比べて、切断圧力の不均衡による切り残しの発生を防ぐことが可能となる。
【０００９】
しかし、前記特許文献２、及び、図９に示されている従来の回転式カッター装置は、カッタ−受刃ＡＫとカッター上刃ＢＫの各刃面が図９（イ）、（ハ）に示すように直線状に形成されているため、カッタ−受刃ＡＫとカッター上刃ＢＫを相反する方向に傾けると、軸半径距離が直線状のカッタ−受刃ＡＫとカッター上刃ＢＫの刃面の中心部分から、両端部に行くにしたがって僅かに長くなってしまうことになる。
【００１０】
従って、図９や特許文献２の図１並びに図３に示すような構成の回転式カッター装置を用いて包装品６５のシール部５２を切断すると、シール部５２の両端部側は充分に切断できるが、中央部分に行くに従って切り残しができてしまう問題があった。
【００１１】
また、前記特許文献１に記載のロータリー式自動包装機では、カッタ−受刃ＡＫとカッター上刃ＢＫのいずれも、図９に示すように回転軸ＡＴ，ＢＴと一体構造になっていて、刃面構成（凸曲面形状）等を変更したり、カッター上刃ＢＫの消耗具合に合せてカッタ−受刃ＡＫの取付状態を調節する場合には、回転カッターＡ，Ｂの全体を交換したり、カッタ−受刃ＡＫが設けられている回転カッターＡの回転軸ＡＴの取付状態を調節する必要があるため、作業が頗る煩雑化すると共に、部品交換頻度が増えて保守メンテナンス費用が高くなる問題もあった。
【００１２】
本発明は上述した各問題点を解決するために成されたものであって、その目的は、相対的な回転を行う左右一対の回転カッターのカッタ−受刃とカッター上刃の間で、連続する包装品をシール部の部分で切断して切り離す場合に、カッター上刃とカッター受刃によるシール部の切り残しが発生しないようにすることである。
【００１３】
更に本発明の他の目的は、回転カッターの部品交換頻度を減らして、保守メンテナンス費用の軽減を可能にした回転式カッター装置を提供することである。
【００１４】
【課題を解決するための手段】
（１）  上記の目的を達成するために本発明に係る自動包装機用回転式カッター装置は、前記請求項１に記載の如く、自動包装機によって長手方向に沿って連続し、且つ、一定間隔のシール部によって区画された状態にシール成形されて送り出されて来る包装品の連続体を、該連続体の搬送通路上において相対的な回転を行う左右一対の回転カッターの間に挿通することにより、各カッターの周面に設けたカッター上刃とカッター受刃が、包装品の連続体を上記シール部の部分で切断するように構成した自動包装機用回転式カッター装置であって、上記各回転カッターのカッター上刃とカッター受刃を、各回転カッターの回転軸に体して夫々相反する周り方向に傾けて設けると共に、これ等カッター上刃とカッター受刃の各刃面を、各刃面の一端から他端までの間における軸方向から見た場合の軸半径距離が等しくなるように、刃面中央部を膨らませた凸曲面形状に形成したことを特徴としている。
【００１５】
（２）  また、本発明では前記請求項２に記載の如く、自動包装機によって長手方向に沿って連続し、且つ、一定間隔のシール部によって区画された状態にシール成形されて送り出されて来る包装品の連続体を、該連続体の搬送通路上において相対的な回転を行う左右一対の回転カッターの間に挿通することにより、各カッターの周面に設けたカッター上刃とカッター受刃が、包装品の連続体を上記シール部の部分で切断するように構成した自動包装機用回転式カッター装置であって、上記各回転カッターのカッター上刃とカッター受刃を、各回転カッターの回転軸に対して夫々相反する周り方向に傾けて設けると共に、上記カッター上刃の刃面を直線状に形成し、上記カッター受刃の刃面を、カッター上刃の一端から他端までの間における軸方向から見た場合の軸半径距離の変動分を吸収できるように、刃面中央部を膨らませた凸曲面形状に形成したことを特徴としている。
【００１６】
（３）  また、本発明では前記請求項３に記載の如く、カッター上刃とカッター受刃の回転軸に対する傾きを３°にした場合に、カッター上刃とカッター受刃の各刃面の曲面値を７０μｍにすることを特徴としている。
【００１７】
（４）  また、本発明では前記請求項４に記載の如く、カッター上刃とカッター受刃の回転軸に対する傾きを３°と成し、カッター上刃の刃面を直線状に形成した場合に、カッター受刃の刃面の凸曲面値を１３０μｍにすることを特徴としている。
【００１８】
（５）  更に本発明では、前記請求項５に記載の如く、カッター受刃とカッター上刃のうち、少くともカッター受刃を回転カッターの軸本体に対して取外し可能並びに取付け状態調節可能に構成したことを特徴としている。
【００１９】
前記（１）及び（３）に記載の手段によれば、カッター受刃とカッター上刃の刃面を、刃面の中央部を膨らませた凸曲面形状にしたため、両回転カッターを相対的な方向に回転して包装品のシール部を切断する場合に、カッター受刃とカッター上刃の点接触の密着度が一定になって、シール部における中央部分の切り残しの問題を解決できると共に、カッター受刃とカッター上刃による切断動作の安定度を向上させることを可能にする。
【００２０】
前記（２）及び（４）に記載の手段によれば、カッター上刃を直線刃と成し、カッター受刃の中央部を膨らませた凸曲面形状に形成し、且つ、その膨らまし度を上記（１）及び（３）で述べたものより多くした凸曲面形状に構成したため、コストを掛けずに回転式カッター装置における切り残し問題を解決できると共に、切断動作の安定度を向上させることを可能にする。
【００２１】
前記（５）に記載の手段によれば、カッター受刃全体、即ち、回転軸を含む回転カッター全体の取外し交換という、煩雑で費用のかかる作業を除外できる。また、カッター上刃の消耗具合に合わせてカッター受刃の取付け状態を調節可能にしたから、部品交換頻度を減らして保守メンテナンス費用の削減を図ることができる。
【００２２】
【発明の実施の形態】
以下に、本発明に係る自動包装機用回転式カッター装置の実施の形態を図面と共に説明する。図１は、本発明を実施したロータリー式自動包装機の構成を説明したものであって、図中符号１はロータリー式自動包装機の一部を示している。符号２及び３は、フイルム状の包材２Ｆ，３Ｆをロール状に巻き取ってある原反で、左側の原反２は使用中のもので、右側の原反３は予備のものである。
【００２３】
原反２及び３の上部には、使用中の原反２の包材２Ｆが無くなりかけたときに、その終端片に予備の原反の包材３Ｆの始端片をつなぎ合わせるための自動つなぎ装置４が機体６の側面に設けられている。
【００２４】
自動つなぎ装置４を通過した包材２Ｆ（あるいは包材３Ｆ）は上方に引き上げられ、水平方向に配置されている製袋シュート５へ導かれる。製袋シュート５は、図６に示すように包材２Ｆ等を長手方向に沿って折り目５１を下側にして二つ折りし、その折り目５１を略水平方向に向けて送り出す。
【００２５】
機体６の上部には、充填材料を貯留するホッパー７が設置されている。ホッパー７の下部には、ホッパー７から供給される充填材料を定量容器９に供給する平面視円盤形状の定量供給装置８が水平回転可能に軸支されている。
【００２６】
定量容器９の下部には、図７に示すように製袋シュート５によって包材２Ｆの下側に形成された折り目５１と略直交するように、包材２Ｆに一定間隔Ｄをあけて縦シール部５２を形成して袋部とする縦シール手段（図示省略）が、定量供給装置８の円周に沿って複数設けられている。
【００２７】
また、連続した袋部のそれぞれに充填材料を充填する充填シュート１０が、定量容器９の下部に上下動可能に配設されている。なお、縦シール手段と共に、定量容器９及び充填シュート１０は定量供給装置８の円周に沿って同複数設けられるものである。
【００２８】
符号６１は連続した袋部の上部開口をシールする横シール装置で、ヒートシールローラ６２と、ヒートシールローラ６２を水平回転させる駆動モータ６３とから大略構成されている。この横シール装置６１によって横シール６４されたのち、図８に示すような連続体１０１（袋部が連なり充填材料Ｃが充填された包装品６５の連続体１０１）が得られる。
【００２９】
なお、横シール装置６１の下流側に包装品６５の横シール部６４に開封用のノッチ（切り欠き）を形成するためのカッターを設ける場合もある。また、ロータリー式自動包装機１から排出された連続体１０１は、そのまま段ボール箱などに畳んだ状態で一旦保管される場合もある。
【００３０】
図２は、その排出された連続体１０１の縦シール部５２の中央部分を切断して切り離すことができる本発明に係る回転式カッター装置４０を備えたカット機ユニット３１を全体的に示している。
【００３１】
カット機ユニット３１は、床面に対して据付移動可能でかつ高さ調整可能なキャスターアジャスター３２を４つ（図では２つ）備えている。このキャスターアジャスター３２を調整することによってカット機ユニット３１の高さ及び床面に対する傾きを自在に調整することができる。
【００３２】
カット機ユニット３１の中央部には、包装品６５を連ねた連続体１０１の縦シール部５２を切断するための本発明に係る回転式カッター装置４０が設けられていて、この回転式カッター装置４０によって一つずつあるいは複数連ねた状態で分離された包装品６５は、シューター１４を通って落下する仕組に成っている。
【００３３】
符号１３Ｔは、連続体１０１の横シール部６４近傍を上方から吊るして保持すると共に、回転式カッター装置４０によって一つずつにされた包装品６５の縁シール部近傍を上方から吊るしつつ保持して、所定位置まで移送するための保持手段である。保持手段１３Ｔ及びカット機ユニット３１は、ボックス１５内に設けられた図示省略の駆動モータによって駆動される。また、このような構成のカット機ユニット３１は、ロータリー式自動包装機１とは独立しているが、前記機体６に連結したり、これを取り外したりできるようになっている。
【００３４】
図３は、上記本発明に係る回転式カッター装置４０の構成を示したもので、図中、４１は前記カット機ユニット３１内に設けた取付けフレーム、４３，４４は左右の回転カッター、４３Ｔ，４４Ｔは回転カッター４３，４４を取付けた左右の回転軸で、これ等両回転軸４３Ｔ，４４Ｔの上下両端部がベアリングを介して上記取付けフレーム４１側にに対して回転自在に支持されている。
【００３５】
７０は取付けフレーム４１に取付けた伝動軸、７１はモータ等の駆動機構（図示省略）の回転を伝動軸７０に伝える伝動ギヤ、７２は伝動軸７０の回転を作動ギヤ７３を介して一方の回転軸４３Ｔに伝える駆動ギヤ、７４と７５は各回転軸４３Ｔ，４４Ｔに取付けた互いに噛合し合う連動ギヤで、これ等連動ギヤ７４，７５の噛合によって、一方の回転軸４３Ｔが図４（ロ）、図５（ロ）に示すように左方向に回転すると、他方の回転軸４４Ｔが右方向に連動回転する仕組に成っている。
【００３６】
更に図中、４２は同じくカット機ユニット３１内に設けた取付板、８０，８０は取付板４２の上下に設けたネジ軸、８１，８１はこれ等上下のネジ軸８０，８０を進退作動する調整レバー、８２，８２は上下のネジ軸８０，８０の先端部に取付けた圧縮バネ、８３，８３と８４，８４は上記左右の回転軸４３Ｔ，４４Ｔの上下両端を回転自在に支持するベアリングケースで、左右の回転軸４３Ｔ，４４Ｔは上下の調節レバー８１，８１の作動に基づく圧縮バネ８２，８２の圧縮作用によって、その並設状態が維持されると共に、並設間隔が広狭自在に調整される。
【００３７】
更に図中、４５Ｘ…と４６Ｘ…は、上記左右一対の回転カッター４３，４４の各外周に、９０度間隔で夫々４枚ずつ取付けたカッター受刃とカッター上刃を示す。４３Ａ…と４４Ａ…は、各回転カッター４３，４４の外周に９０度間隔で４枚ずつ突設した取付台で、上記の各カッター受刃４５Ｘ…とカッター上刃４６Ｘ…は、これ等各取付台４３Ａ…、４４Ａ…に各刃面を外方に向けた状態で取付用ネジ４３Ｂ…及び４４Ｂ…を用いて夫々交換自在、並びに、取付状態調節自在に取付けられている。
【００３８】
上記の如く回転カッター４３，４４の外周に取付けられる各カッター受刃４５Ｘ…とカッター上刃４６Ｘ…は、図４（イ）並びに図５（イ）に示すように、カッター受刃４５Ｘ…については、一方の回転カッター４３の中心軸線に対してその回転方向、即ち、図面の場合は左周り方向に３°傾むけた状態に取付けられ、カッター上刃４６Ｘ…については、他方の回転カッター４４の中心軸線に対してその回転方向、即ち、図面の場合は右周り方向に３°傾むけた状態に取付けられている。
【００３９】
図４は、前記請求項１及び３に記載した構成の要部を明示したものであって、（イ）はその正面図、（ロ）は平断面図、（ハ）はカッター受刃４５Ｘとカッター上刃４６Ｘの構成図を示し、（ハ）において４５Ａ，４６Ａはカッター受刃４５Ｘとカッター上刃４６Ｘに設けた取付穴である。
【００４０】
請求項１及び３に記載の構成において、カッター受刃４５Ｘとカッター上刃４６Ｘの各刃面は、夫々の刃の一端から他端までの間における軸線から見た場合の軸半径距離が等しくなるように、刃面中央部を膨らませた凸曲面構成に形成されていて、各カッター受刃４５Ｘとカッター上刃４６Ｘの傾むきが３°の場合は、この凸曲面値は７０μｍであって、図面はその凸曲面の形状を多少誇張して記載している。
【００４１】
図５は、前記請求項２及び４に記載した構成の要部を明示したものであって、（イ）はその正面図、（ロ）はその平断面図、（ハ）はカッター受刃４５Ｙとカッター上刃４６Ｙの構成図で、（ハ）に示した４５Ａ，４６Ａは各刃の取付穴である。
【００４２】
請求項２及び４に記載の構成において、カッター上刃４６Ｙの刃面は直線刃に形成され、カッター受刃４５Ｙの刃面は、上記図４（請求項１、３）に記載の凸曲面よりも、刃面中央部分の膨らまし度を増した形状の凸曲面構成、即ち、直線刃であるカッター上刃４６Ｙの一端から他端までの間における軸方向から見た場合の軸半径距離の変動分を吸収するような凸曲面構成に形成されている。具体的には、各刃４５Ｙ，４６Ｙの傾むきが３°の場合、カッター受刃４５Ｙの具体的凸曲面値は１３０μｍであって、図面はその凸曲面の形状を多少誇張して記載している。
【００４３】
本発明に係る自動包装機用回転式カッター装置は以上述べた如き構成であるから、図４に示すようにカッター受刃４５Ｘとカッター上刃４６Ｘの刃面中央部を膨らませた凸曲面に構成したり、或は、図５に示すようにカッター上刃４６Ｙを直線刃と成し、カッター受刃４５Ｙの刃面を上記図４のものより膨らまし度を多くした凸曲面に構成することにより、回転式カッターにおけるシール部５２の切り残しの問題を解決できると共に、切断動作の安定度を向上させることができる。
【００４４】
また、上記カッター受刃４５Ｘ又は４５Ｙを、回転カッター４３に対して取り外し可能並びに取付け状態調節可能に構成したため、カッター受刃４５Ｘ，４５Ｙの交換や、カッター上刃４６Ｘ又は４６Ｙの消耗具合に合せた取付状態の調節作業を簡単に行うことができる。
【００４５】
尚、図面には左右一対の回転カッター４３，４４を、左右縦に並べた状態にして用いる構成が示されているが、これ等２つの回転カッター４３，４４を横に並べて用いる場合もあり、その選択は任意とする。
【００４６】
【発明の効果】
以上述べた次第で、本発明に係る自動包装機用回転式カッター装置によれば、回転式カッターにおけるシール部の切り残しの問題を解決できるものであって、使用する包装フイルムの品種や性状等に影響されることなく、自動包装機によって連続的にシール成形された包装品の切り離しを確実に行って、切断の安定性の向上と、自動包装の高速化を可能にすると共に、自動包装機の保守メンテナンス費用の削減を可能とする経済的効果を発揮できるものであって、図示したロータリー式自動包装機を始めとする各種形式の自動包装機に実施して、まことに好適なものである。
【図面の簡単な説明】
【図１】本発明に係る回転式カッター装置を実施するロータリー式自動包装機の構成を説明した側面図。
【図２】本発明に係る回転式カッター装置を備えたカット機ユニットの構成を説明した側面図。
【図３】本発明の要部を説明した構成図。
【図４】請求項１及び３に記載した本発明の構成を説明したものであって、（イ）は正面図、（ロ）は一部断面平面図、（ハ）はカッター受刃とカッター上刃の構成図。
【図５】請求項２及び４に記載した本発明の構成を説明したものであって、（イ）は正面図、（ロ）は一部断面平面図、（ハ）はカッター受刃とカッター上刃の構成図。
【図６】包材を長手方向に沿って折り目を下側にして二つ折りした状態を示す説明図。
【図７】製袋シュート５によって包材の下側に形成された折り目と略直交するように包材に一定間隔をあけて縦シール部を形成した状態を示す説明図。
【図８】連続体を示す説明図。
【図９】従来の回転式カッター装置の構成を説明したものであって、（イ）は正面図、（ロ）は一部断面平面図、（ハ）はカッター受刃とカッター上刃の構成図。
【符号の説明】
１              ロータリー式自動包装機
２Ｆ            包材
４０            回転式カッター装置
４３，４４      回転カッター
４３Ａ，４４Ａ            取付台
４３Ｂ，４５Ｂ            取付用ネジ
４３Ｔ，４４Ｔ            回転軸
４５Ｘ，４５Ｙ            カッター受刃
４６Ｘ，４６Ｙ            カッター上刃
５２            縦シール部
６５            包装品
１０１          包装品の連続体
【図１】
2004359385.tif 000003
【図２】
2004359385.tif 000004
【図３】
2004359385.tif 000005
【図４】
2004359385.tif 000006
【図５】
2004359385.tif 000007
【図６】
2004359385.tif 000008
【図７】
2004359385.tif 000009
【図８】
2004359385.tif 000010
【図９】
2004359385.tif 000011